(57)【要約】衛星信号を処理する装置及び方法が提供される。スイッチ（１１６）は、少なくとも２つの周波数サブバンドを含む所定の周波数範囲を有する入力信号を受信する。第１のダイプレクサ（１１０）はスイッチの第１の出力部へ接続され、第１及び第２の周波数サブバンドを含む第１のフィルタ処理された信号と、第３の周波数サブバンドを含む第２のフィルタ処理された信号とを生成する。第２のダイプレクサ（１０４）はスイッチの第２の出力部へ接続され、第１の周波数サブバンドを含む第３のフィルタ処理された信号と、第２の周波数サブバンドを含む第４のフィルタ処理された信号とを生成する。コントローラ（６０２）は、第１及び第２のモードの間で動作するようスイッチを作動させる。第１のモードで、スイッチは、第１及び第２のフィルタ処理された信号を生成するよう入力信号を第１のダイプレクサへ供給し、第１のダイプレクサは、第１のフィルタ処理された信号から第３及び第４のフィルタ処理された信号を生成するよう第１のフィルタ処理された信号を第２のダイプレクサへ供給する。第２のフィルタ処理された信号は、それから第１のタイプのデータを導出するようコントローラへ供給され、第３及び第４のフィルタ処理された信号は、それらから第２の異なるタイプのデータを導出するよう前記コントローラへ供給される。第２のモードで、スイッチは、入力信号から第３及び第４のフィルタ処理された信号を生成するよう入力信号を第２のダイプレクサへ供給し、第２のダイプレクサは、第３及び第４のフィルタ処理された信号をコントローラへ供給してそれらから第２の異なるタイプのデータが導出されるようにする。
2017510101.tif 000002
【特許請求の範囲】
【請求項１】
衛星信号を処理する装置であって、
少なくとも２つの周波数サブバンドを含む所定の周波数範囲を有する入力信号を受信するスイッチと、
前記スイッチの第１の出力部へ接続され、第１の周波数サブバンド及び第２の周波数サブバンドを含む第１のフィルタ処理された信号と、第３の周波数サブバンドを含む第２のフィルタ処理された信号とを生成する第１のダイプレクサと、
前記スイッチの第２の出力部へ接続され、前記第１の周波数サブバンドを含む第３のフィルタ処理された信号と、前記第２の周波数サブバンドを含む第４のフィルタ処理された信号とを生成する第２のダイプレクサと、
第１のモードと第２のモードとの間で動作するよう前記スイッチを作動させるコントローラと
を有し、
前記第１のモードにおいて、前記スイッチは、前記第１のフィルタ処理された信号及び前記第２のフィルタ処理された信号を生成するよう、前記入力信号を前記第１のダイプレクサへ供給し、該第１のダイプレクサは、前記第１のフィルタ処理された信号から前記第３のフィルタ処理された信号及び前記第４のフィルタ処理された信号を生成するよう、前記第１のフィルタ処理された信号を前記第２のダイプレクサへ供給し、前記第２のフィルタ処理された信号は、それから第１のタイプのデータを導出するよう前記コントローラへ供給され、前記第３のフィルタ処理された信号及び前記第４のフィルタ処理された信号は、それらから第２の異なるタイプのデータを導出するよう前記コントローラへ供給され、
前記第２のモードにおいて、前記スイッチは、前記入力信号から前記第３のフィルタ処理された信号及び前記第４のフィルタ処理された信号を生成するよう、前記入力信号を前記第２のダイプレクサへ供給し、前記第２のダイプレクサは、前記第３のフィルタ処理された信号及び前記第４のフィルタ処理された信号を前記コントローラへ供給してそれらから前記第２の異なるタイプのデータが導出されるようにする、
装置。
【請求項２】
前記第１のダイプレクサは、バンドストップフィルタ及びバンドパスフィルタを含み、
前記バンドパスフィルタのパスバンドは、前記バンドストップフィルタによって拒絶されるバンドと等しい、
請求項１に記載の装置。
【請求項３】
前記第２のダイプレクサは、ハイパスフィルタ及びローパスフィルタを含み、
前記ローパスフィルタのカットオフ周波数は、前記ハイパスフィルタのカットオフ周波数よりも小さい、
請求項１に記載の装置。
【請求項４】
前記入力信号は、レガシー衛星信号及び単線マルチスイッチ（ＳＷＭ）モード信号のうちの１つを含む、
請求項１に記載の装置。
【請求項５】
前記レガシー衛星信号は、ＩＳＤＢＴデータを有する第１のサブバンドと、衛星データを有する第２のサブバンドとを含み、
前記第２のサブバンドは、前記第１のサブバンドよりも高い周波数範囲を有する、
請求項４に記載の装置。
【請求項６】
前記ＳＷＭモード信号は、ＩＳＤＢＴデータを有する第１のサブバンドと、ＭｏＣＡデータを有する第２のサブバンドと、衛星データを有する第３のサブバンドとを含み、
前記第２のサブバンドは、前記第１のサブバンドの周波数範囲と前記第３のサブバンドの周波数範囲との間の周波数範囲を有する、
請求項４に記載の装置。
【請求項７】
衛星信号を処理する方法であって、
スイッチにおいて、少なくとも２つの周波数サブバンドを含む所定の周波数範囲を有する入力信号を受信するステップと、
第１のモードと第２のモードとの間で動作するようコントローラによって前記スイッチを作動させるステップであって、
前記第１のモードで動作するよう前記スイッチを作動させることに応答して、
第１のダイプレクサを前記スイッチの第１の出力部へ接続し、
前記入力信号を前記第１のダイプレクサへ供給し、
第１の周波数サブバンド及び第２の周波数サブバンドを含む第１のフィルタ処理された信号と、第３の周波数サブバンドを含む第２のフィルタ処理された信号とを生成し、
前記第１のフィルタ処理された信号を第２のダイプレクサへ供給し、
前記第１のフィルタ処理された信号に基づき、前記第１の周波数サブバンドを含む第３のフィルタ処理された信号と、前記第２の周波数サブバンドを含む第４のフィルタ処理された信号とを生成し、
前記第２のモードで動作するよう前記スイッチを作動させることに応答して、
前記スイッチの第２の出力部を前記第２のダイプレクサへ接続し、
前記入力信号を前記第２のダイプレクサへ供給し、
前記入力信号に基づき、前記第１の周波数サブバンドを含む前記第３のフィルタ処理された信号と、前記第２の周波数サブバンドを含む前記第４のフィルタ処理された信号とを生成し、
前記第１のダイプレクサから前記第２のフィルタ処理された信号を前記コントローラへ供給して、第１のタイプのデータを導出し、
前記第２のダイプレクサから前記第３のフィルタ処理された信号及び前記第４のフィルタ処理された信号を前記コントローラへ供給して、第２の異なるタイプのデータを導出する、前記作動させるステップと
を有する方法。
【請求項８】
前記第１のモードにおける前記生成するステップは、
前記第１のフィルタ処理された信号を生成するようバンドパスフィルタを使用することと、
前記第２のフィルタ処理された信号を生成するようバンドストップフィルタを使用することと
を含み、
前記バンドパスフィルタのパスバンドは、前記バンドストップフィルタによって拒絶される周波数バンドと等しい、
請求項７に記載の方法。
【請求項９】
前記第２のモードにおける前記生成するステップは、
前記第３のフィルタ処理された信号を生成するようローパスフィルタを使用することと、
前記第４のフィルタ処理された信号を生成するようハイパスフィルタを使用することと
を含み、
前記ローパスフィルタのカットオフ周波数は、前記ハイパスフィルタのカットオフ周波数よりも小さい、
請求項７に記載の方法。
【請求項１０】
前記入力信号は、レガシー衛星信号及び単線マルチスイッチ（ＳＷＭ）モード信号のうちの１つを含む、
請求項７に記載の方法。
【請求項１１】
前記レガシー衛星信号は、ＩＳＤＢＴデータを有する第１のサブバンドと、衛星データを有する第２のサブバンドとを含み、
前記第２のサブバンドは、前記第１のサブバンドよりも高い周波数範囲を有する、
請求項１０に記載の方法。
【請求項１２】
前記ＳＷＭモード信号は、ＩＳＤＢＴデータを有する第１のサブバンドと、ＭｏＣＡデータを有する第２のサブバンドと、衛星データを有する第３のサブバンドとを含み、
前記第２のサブバンドは、前記第１のサブバンドの周波数範囲と前記第３のサブバンドの周波数範囲との間の周波数範囲を有する、
請求項１０に記載の方法。
【請求項１３】
衛星信号を処理する装置であって、
少なくとも２つの周波数サブバンドを含む所定の周波数範囲を有する入力信号を受信する受信手段と、
前記受信手段の第１の出力部へ接続される第１のフィルタリング手段であって、第１の周波数サブバンド及び第２の周波数サブバンドを含む第１のフィルタ処理された信号と、第３の周波数サブバンドを含む第２のフィルタ処理された信号とを生成する前記第１のフィルタリング手段と、
前記受信手段の第２の出力部へ接続される第２のフィルタリング手段であって、前記第１の周波数サブバンドを含む第３のフィルタ処理された信号と、前記第２の周波数サブバンドを含む第４のフィルタ処理された信号とを生成する前記第２のフィルタリング手段と、
第１のモードと第２のモードとの間で動作するよう前記受信手段を作動させる作動手段であって、
前記第１のモードにおいて、前記受信手段は、前記第１のフィルタ処理された信号及び前記第２のフィルタ処理された信号を生成するよう、前記入力信号を前記第１のフィルタリング手段へ供給し、該第１のフィルタリング手段は、前記第１のフィルタ処理された信号から前記第３のフィルタ処理された信号及び前記第４のフィルタ処理された信号を生成するよう、前記第１のフィルタ処理された信号を前記第２のフィルタリング手段へ供給し、
前記第２のモードにおいて、前記受信手段は、前記入力信号から前記第３のフィルタ処理された信号及び前記第４のフィルタ処理された信号を生成するよう、前記入力信号を前記第２のフィルタリング手段へ供給する、前記作動手段と、
フィルタ処理された信号を処理する処理手段であって、
前記第１のモードにおいて、前記第２のフィルタ処理された信号を受信してそれから第１のタイプのデータを導出し、前記第３のフィルタ処理された信号及び前記第４のフィルタ処理された信号を受信してそれらから第２の異なるタイプのデータを導出し、
前記第２のモードにおいて、前記入力信号に基づき生成された前記第３のフィルタ処理された信号及び前記第４のフィルタ処理された信号を受信してそれらから前記第２の異なるタイプのデータを導出する、前記処理手段と
を有する装置。
【請求項１４】
前記第１のフィルタリング手段は、バンドストップフィルタ及びバンドパスフィルタを含む第１のダイプレクサを有し、
前記バンドパスフィルタのパスバンドは、前記バンドストップフィルタによって拒絶されるバンドと等しい、
請求項１３に記載の装置。
【請求項１５】
前記第２のフィルタリング手段は、ハイパスフィルタ及びローパスフィルタを含む第２のダイプレクサを有し、
前記ローパスフィルタのカットオフ周波数は、前記ハイパスフィルタのカットオフ周波数よりも小さい、
請求項１４に記載の装置。
【請求項１６】
前記入力信号は、レガシー衛星信号及び単線マルチスイッチ（ＳＷＭ）モード信号のうちの１つを含む、
請求項１３に記載の装置。
【請求項１７】
前記レガシー衛星信号は、ＩＳＤＢＴデータを有する第１のサブバンドと、衛星データを有する第２のサブバンドとを含み、
前記第２のサブバンドは、前記第１のサブバンドよりも高い周波数範囲を有する、
請求項１６に記載の装置。
【請求項１８】
前記ＳＷＭモード信号は、ＩＳＤＢＴデータを有する第１のサブバンドと、ＭｏＣＡデータを有する第２のサブバンドと、衛星データを有する第３のサブバンドとを含み、
前記第２のサブバンドは、前記第１のサブバンドの周波数範囲と前記第３のサブバンドの周波数範囲との間の周波数範囲を有する、
請求項１６に記載の装置。
【発明の詳細な説明】
【技術分野】
【０００１】
本発明は、衛星信号処理するセットトップボックスに関係があり、特に、衛星信号を受信する入力でのリターンロス及び選択性の両方を改善する新規のフロントエンドに関係がある。
【背景技術】
【０００２】
衛星プロバイダから信号を受信するセットトップボックス（ＳＴＢ；Set-Top  Box）は、当該技術でよく知られている。そのようなＳＴＢは、２つの異なる種類の信号を処理するよう求められる。第１のタイプの信号は、衛星テレビジョンデータ（例えば、レガシー信号）を含む周波数バンドを有する。第２のタイプの信号は、ネットワーキングデータのためにリザーブされている衛星信号バンドの部分を有し、衛星信号は単線マルチスイッチ（ＳＷＭ；Single  Wire-Multiswitch）信号に変換される。通常、ネットワーキングデータのためにリザーブされるバンドは、マルチメディア・オーバー・コアックス・アライアンス（ＭｏＣＡ；Multimedia  over  Coax  Alliance）標準に従って構造化される。ＭｏＣＡバンドにおけるデータは、ＳＴＢによって送受信されるインターネットデータと、特定の場所にある複数のＳＴＢが互いと通信することができるようにするローカルエリアネットワーキングデータとを通常は含む。よって、ＳＴＢの設計者は、両方のタイプの信号を受信し処理することができるＳＴＢアーキテクチャを提供しなければならない。レガシー信号及びＳＷＭ信号の両方を処理することができる、例となるＳＴＢは、図１において示されている。
【０００３】
図１は、従来のＳＴＢ１のブロック図である。ＳＴＢ１は、ＳＴＢ１の完全な動作を制御するコントローラ３０を有する。ＳＴＢ１は、衛星受信器屋外ユニット（ＬＮＢ又はＳＷＭユニット。図示せず。）からＲＦ入力信号２を受信するＦコネクタ４を有する。衛星信号が受信されて、入力信号２を生成するよう処理される方法は、よく知られており、本発明と密接な関係にない。ＳＴＢ１は、２．３ＭＨｚ  ＦＳＫトランシーバであるＳＷＭ回路７を更に有する。ＳＷＭ回路７は、衛星トランスポンダをＳＷＭチャネルへ移すために、屋外のＳＷＭユニットへコマンドを送る。加えて、ＳＷＭ回路７はまた、屋外ユニットのステータス／応答を受け、その情報をコントローラ３０へ提供してよい。Ｆコネクタ４を介して受信される入力信号２は、フルスペクトル信号であり、レガシー信号については２２ｋＨｚから２１５０ＭＨｚの、又はＳＷＭ信号については２．３ＭＨｚから２１５０ＭＨｚの範囲に及ぶ。フルスペクトル入力信号２は第１のダイプレクサ６へ供給される。第１のダイプレクサ６は、９５０ＭＨｚよりも大きい信号の部分が通過することができるよう信号を減衰させる第１のハイパスフィルタ（ＨＰＦ；High  Pass  Filter）８を有する。第１のダイプレクサ６は、８１６ＭＨｚを下回る信号の部分が通過することができるよう信号を減衰させる第１のローパスフィルタ（ＬＰＦ；Low  Pass  Filter）９を更に有する。第１のＬＰＦ９によってフィルタ処理される信号２の部分は、一般に、統合デジタル放送−衛星サービス（ＩＳＤＢ−Ｔ；Integrated  Services  Digital  Broadcasting-Terrestrial）標準に従ってフォーマットされたデジタルテレビジョンデータを含む。ＬＰＦ９によってフィルタ処理される信号の部分は、好ましくない信号である８８から１０８ＭＨｚのＦＭ放送バンドを更に含む。略１７４ＭＨｚのカットオフ周波数を有するＨＰＦ１３は、第１のＬＰＦ９の出力部へ接続されており、ＬＰＦ９によってフィルタ処理された信号２の部分を受信する。ＨＰＦ１３は、ＦＭバンド、ＳＷＭトーン又はＤｉｓＥｑＣトーンを除去する。レガシーモードにおいて、２２ｋＨｚのＤｉｓＥｑＣ信号は、ＬＮＢのような屋外ユニット、又は屋外アンテナスイッチへコマンドを送るために使用される。ＳＷＭモードにおいて、２．３ＭＨｚのＦＳＫ信号は、衛星アンテナから来る衛星トランスポンダへＳＷＭチャネルを割り当てるよう、屋外のＳＷＭモジュールと通信するために使用され、この信号は、上記のＳＷＭ回路７によって処理される。ＩＳＤＢ−Ｔデータは、そのチューニングのためにＩＳＤＢ−Ｔチューナ１０へ供給される。チューニングされた信号は、復調のためにＩＳＤＢ−Ｔ復調器１１へ供給される。復調された信号はコントローラ３０へ供給される。コントローラ３０は、当該技術で知られている更なる処理を実行し、復調されたＩＳＤＢ−Ｔ信号を夫々の出力部３４へ送る。信号出力部３４は、ここでは単に例として示されており、ＳＴＢ設計の技術でよく知られているように、ＳＴＢ１は、ＳＴＢ１を表示スクリーン又はモニタへ接続する複数の異なる出力コネクタを有してよい。出力部は、制限なしに、ＨＤＭＩ（登録商標）ポート、コンポジットビデオポート、コンポーネント・ビデオポート、ＤＶＩ���ート、ＶＧＡポート、及び同軸出力ポートを含んでよい。
【０００４】
９５０ＭＨｚよりも大きい周波数を有する信号の部分は、第１のＨＰＦ８によってフィルタ処理され、第１のスイッチ１２へ更に供給される。第１のスイッチ１２は、ＨＰＦ８によってフィルタ処理された信号の部分によってとられる経路を画定するよう選択的に制御可能な単極双投スイッチであってよい。コントローラ３０は、そのセットアップ時に、レガシー信号又はＳＷＭ信号のいずれか一方を受信し処理するよう予めプログラムされる。ＳＴＢ１によって処理されるべき信号がレガシー信号であるとコントローラ３０が決定する場合には、第１のスイッチ１２は、第１のＨＰＦ８によってフィルタ処理された信号を第２のスイッチ２２へ送るよう構成される。第２のスイッチ２２は、フィルタ処理された衛星信号を、そのチューニングのためにレガシーチューナ（ネットワークチューナとも呼ばれる。）２４へ供給する。フィルタ処理された衛星信号は、レガシーチューナ２４によって分割され、１つの信号はコントローラ３０のレガシー復調器２５へ供給され、一方、他の出力は、コントローラ３０のＡ３チューナ及び復調器２９によって受信される前に、増幅器２６によって増幅され、バラン２８を通される。レガシー復調器２５並びにＡ３チューナ及び復調器２９のうちの少なくとも１つは、当該技術で知られるように表示デバイスでの表示のために、信号を夫々の出力部３４へ供給する。
【０００５】
Ｆコネクタ４で受信される信号がＳＷＭ信号であるとコントローラ３０が決定すると、第１のスイッチ１２は、第１のＨＰＦ８によってフィルタ処理された信号の部分が第２のダイプレクサ１４へ供給されることを可能にするよう構成される。第２のダイプレクサ１４は、略１２５０ＭＨｚを下回る信号の部分にフィルタをかける第２のＨＰＦ１８と、略１０５０ＭＨｚを上回る信号の部分にフィルタをかける第２のＬＰＦ１６とを有する。第２のＬＰＦ１６の出力は、略９５０ＭＨｚから１０５０ＭＨｚの間の範囲に及ぶ周波数バンドを有する信号である。この周波数バンドでのデータは、ＭｏＣＡデータを表し、ＭｏＣＡトランシーバ２０を介してコントローラ３０のＭｏＣＡモジュール２１へ供給される。ＭｏＣＡデータが処理される方法は、よく知られており、更に論じられる必要はない。
【０００６】
第２のダイプレクサ１４の第２のＨＰＦ１８の出力は、衛星データを表す、略１２５０ＭＨｚから２１５０ＭＨｚの間の範囲に及ぶ周波数バンドを有する信号である。第２のＨＰＦ１８によって出力された信号は、第２のスイッチ２２へ供給され、レガシーチューナ２４へ出力される。この信号は、上述されたのと同様に処理され、繰り返される必要はない。
【０００７】
よって、レガシー信号及びＳＷＭ信号の両方を処理することができるＳＴＢを有するために、従来のＳＴＢ１は、図２においてより詳細に示されるようなデュアルダイプレクサアーキテクチャを有する。図２は、図１において上述されたデュアルダイプレクサアーキテクチャのより詳細な図である。図２において、第１のダイプレクサ６は、略８０６ＭＨｚを下回る周波数を有する第１のフィルタ処理された信号と、略９５０ＭＨｚから２１５０ＭＨｚの間の範囲に及ぶ周波数バンドを有する第２のフィルタ処理された信号とを供給するよう、Ｆコネクタ４で接続される。第１のフィルタ処理された信号は、ＩＳＤＢ−Ｔフォーマットのデジタルテレビジョンデータを含み、一方、第２のフィルタ処理された信号は、入力信号２がレガシー信号である場合には衛星データを含み、あるいは、入力信号２がＳＷＭ信号である場合にはＭｏＣＡ及び衛星データを含む。第１のダイプレクサ６によってフィルタ処理された信号がレガシー信号である場合には、９５０ＭＨｚよりも大きい信号の全スペクトルは、上述されたようにチューナへ供給される。対照的に、第１のダイプレクサ６によってフィルタ処理された信号がＳＷＭ信号である場合には、フィルタ処理された信号は、ＭｏＣＡデータを含む周波数バンドのみを含む出力信号と、チューニングのために衛星テレビジョンデータを含む周波数バンドを含む更なる出力信号とを生成するよう、更なるフィルタリングのために第２のダイプレクサ１４へ供給される。
【０００８】
図１及び２で示されている従来のＳＴＢ設計に付随する欠点は、ＭｏＣＡ信号及び衛星信号を生成するはずである第２のダイプレクサ１４は設計するのが難しいことである。これは、小さなトランジェントバンドが存在するためである。最適に有効であるよう、第２のダイプレクサ１４は、略１０５０ＭＨｚで１００から２００ＭＨｚ周波数バンド内の略５０ｄＢのＭｏＣＡ除去を必要とする。除去要件に付随する制約及びスイッチに固有の制約を考慮して、許容可能な程度のリターンロスを得ることは難しい。リターンロスは、伝送線路上の電力の反射により生じる信号電力の損失である。ＳＴＢがそれに適用された電力をルーティングすることができない場合には、それは反射されてＦコネクタに戻り、ホームネットワーク上で接続されている他のＳＴＢへ出力され得る。よって、２つのダイプレクサを含む従来のＳＴＢ設計は、次善レベルのリターンロスをもたらす。そのため、システム内のリターンロスの量を改善しながら、レガシーモード及びＳＷＭモードの両方において動作することができるＳＴＢを提供する必要性が存在する。本原理に従うシステムは、それら及び他の従来技術のシステムに付随する欠点を改善する。
【発明の概要】
【０００９】
一実施形態において、衛星信号を処理する装置が提供される。スイッチは、所定の周波数範囲を有する入力信号を受信する。前記所定の周波数範囲は少なくとも２つの周波数サブバンドを含む。第１のダイプレクサは、前記スイッチの第１の出力部へ接続され、第１の周波数サブバンド及び第２の周波数サブバンドを含む第１のフィルタ処理された信号と、第３の周波数サブバンドを含む第２のフィルタ処理された信号とを生成する。第２のダイプレクサは、前記スイッチの第２の出力部へ接続され、前記第１の周波数サブバンドを含む第３のフィルタ処理された信号と、前記第２の周波数サブバンドを含む第４のフィルタ処理された信号とを生成する。コントローラは、第１のモードと第２のモードとの間で動作するよう前記スイッチを作動させる。前記第１のモードにおいて、前記スイッチは、前記第１のフィルタ処理された信号及び前記第２のフィルタ処理された信号を生成するよう、前記入力信号を前記第１のダイプレクサへ供給し、該第１のダイプレクサは、前記第１のフィルタ処理された信号から前記第３のフィルタ処理された信号及び前記第４のフィルタ処理された信号を生成するよう、前記第１のフィルタ処理された信号を前記第２のダイプレクサへ供給し、前記第２のフィルタ処理された信号は、それから第１のタイプのデータを導出するよう前記コントローラへ供給され、前記第３のフィルタ処理された信号及び前記第４のフィルタ処理された信号は、それらから第２の異なるタイプのデータを導出するよう前記コントローラへ供給される。前記第２のモードにおいて、前記スイッチは、前記入力信号から前記第３のフィルタ処理された信号及び前記第４のフィルタ処理された信号を生成するよう、前記入力信号を前記第２のダイプレクサへ供給し、前記第２のダイプレクサは、前記第３のフィルタ処理された信号及び前記第４のフィルタ処理された信号を前記コントローラへ供給してそれらから前記第２の異なるタイプのデータが導出されるようにする。
【００１０】
他の実施形態において、衛星信号を処理する方法が提供される。当該方法は、スイッチにおいて、少なくとも２つの周波数サブバンドを含む所定の周波数範囲を有する入力信号を受信するステップと、第１のモードと第２のモードとの間で動作するようコントローラによって前記スイッチを作動させるステップとを有する。前記第１のモードで動作するよう前記スイッチを作動させることに応答して、第１のダイプレクサが前記スイッチの第１の出力部へ接続され、前記入力信号が前記第１のダイプレクサへ供給される。第１のフィルタ処理された信号が生成され、該第１のフィルタ処理された信号は、第１の周波数サブバンド及び第２の周波数サブバンドを含む。第２のフィルタ処理された信号が生成され、該第２のフィルタ処理された信号は、第３の周波数サブバンドを含む。前記第１のフィルタ処理された信号は第２のダイプレクサへ供給され、該第２のダイプレクサは、前記第１の周波数サブバンドを含む第３のフィルタ処理された信号と、前記第２の周波数サブバンドを含む第４のフィルタ処理された信号とを生成する。前記第３のフィルタ処理された信号及び前記第４のフィルタ処理された信号は、前記第１のフィルタ処理された信号に基づき生成される。前記第２のモードで動作するよう前記スイッチを作動させることに応答して、前記スイッチの第２の出力部は前記第２のダイプレクサへ接続され、前記入力信号は、前記第２のダイプレクサへ供給される。前記第２のダイプレクサは、前記入力信号に基づき、前記第１の周波数サブバンドを含む前記第３のフィルタ処理された信号と、前記第２の周波数サブバンドを含む前記第４のフィルタ処理された信号とを生成する。前記第１のダイプレクサからの前記第２のフィルタ処理された信号は、第１のタイプのデータを導出するよう、前記コントローラへ供給される。前記第３のフィルタ処理された信号及び前記第４のフィルタ処理された信号は、第２の異なるタイプのデータを導出するよう、前記第２のダイプレクサから前記コントローラへ供給される。
【図面の簡単な説明】
【００１１】
【図１】先行技術のセットトップボックスのアーキテクチャのブロック図である。
【００１２】
【図２】図１の先行技術のセットトップボックスのアーキテクチャで使用されるダイプレクサのブロック図である。
【００１３】
【図３Ａ】ＳＴＢによって受信されるレガシー信号の周波数スペクトルを表す。
【００１４】
【図３Ｂ】ＳＴＢによって受信されるＳＷＭ信号の周波数スペクトルを表す。
【００１５】
【図４】発明原理に従うダイプレクサのブロック図である。
【００１６】
【図５】発明原理に従うダイプレクサの回路図である。
【００１７】
【図６】発明原理に従うダイプレクサを含むＳＴＢのブロック図である。
【００１８】
【図７Ａ】発明原理に従うダイプレクサによって与えられるフィルタリング特性のグラフ描写である。
【図７Ｂ】発明原理に従うダイプレクサによって与えられるフィルタリング特性のグラフ描写である。
【図７Ｃ】発明原理に従うダイプレクサによって与えられるフィルタリング特性のグラフ描写である。
【図７Ｄ】発明原理に従うダイプレクサによって与えられるフィルタリング特性のグラフ描写である。
【００１９】
【図８】発明原理に従うシステムの動作を詳述するフロー図である。
【発明を実施するための形態】
【００２０】
図示されている要素は、ハードウェア、ソフトウェア、又はそれらの組み合わせの様々な形態において実装されてよいことが理解されるべきである。望ましくは、それらの要素は、１つ以上の適切にプログラムされた汎用デバイスにおいてハードウェア及びソフトウェアを組み合わせて実装される。そのようなデバイスは、プロセッサ、メモリ、及び入出力インターフェイスを含んでよい。
【００２１】
本明細書は、本開示の原理を説明する。よって、明らかなように、当業者であれば、ここで明示的に記載又は図示されていなくても、本開示の原理を具現し且つその主旨及び適用範囲内に含まれる様々な配置を想到可能である。
【００２２】
ここで挙げられている全ての例及び条件付き言語は、当該技術を促進することに本発明者によって寄与される概念及び本開示の原理を読者が理解するのを助ける教育上の目的を意図され、そのような具体的に挙げられている例及び条件に制限されないと解釈されるべきである。
【００２３】
更に、本開示の原理、態様、及び実施形態、並びにそれらの具体例をここで挙げている全ての記述は、その構造上の同等物及び機能上の同等物の両方を包含するよう意図される。加えて、そのような同等物は、現在知られている同等物に加えて、将来開発される同等物、すなわち、構造にかかわらず同じ機能を実装するよう開発されたあらゆる要素、の両方を含むことが意図される。
【００２４】
よって、例えば、当業者に明らかなように、ここで提示されるブロック図は、本開示の原理を具現する実例となる回路構成の概念図を表す。同様に、明らかなように、如何なるフローチャート、フロー図、状態遷移図、擬似コード、及び同様のものも、コンピュータ可読媒体において実質的に表現され、故にコンピュータ又はプロセッサによって、そのようなコンピュータ又はプロセッサが明示的に示されていようがいまいが、実行され得る様々なプロセスを表す。
【００２５】
図示されている様々な要素の機能は、専用のハードウェア、及び、適切なソフトウェアに関連してソフトウェアを実行することが可能なハードウェア、の使用を通じて提供されてよい。プロセッサによって提供される場合に、機能は、単一の専用プロセッサによって、単一の共有プロセッサによって、又は、一部が共有され得る複数の個別プロセッサによって、提供されてよい。更に、語「プロセッサ」又は「コントローラ」の明示的な使用は、ソフトウェアを実行することが可能なハードウェアにもっぱら言及すると解釈されるべきではなく、制限なしに、デジタル信号プロセッサ（“ＤＳＰ”）ハードウェア、ソフトウェアを格納するリードオンリーメモリ（“ＲＯＭ”）、ランダムアクセスメモリ（“ＲＡＭ”）、及び不揮発性ストレージを暗に含んでよい。
【００２６】
ここで使用される場合に、語「コンポーネント」及び／又は「モジュール」は、ハードウェア、又はハードウェア及び実行中のソフトウェアの組み合わせ、に言及するよう意図される。例えば、コンポーネントは、制限なしに、プロセッサで実行されるプロセス、プロセッサ、オブジェクト、実行ファイル、及び／又はマイクロチップ、並びに同様のものであることができる。実例として、プロセッサで実行されるアプリケーション及びプロセッサは、いずれもコンポーネントであることができる。１つ以上のコンポーネントがプロセス内に存在することができ、コンポーネントは１つのシステムにおいてローカライズされ及び／又は２つ以上のシステムの間で分配され得る。図示される様々なコンポーネントの機能は、専用のハードウェア、及び、適切なソフトウェアに関連してソフトウェアを実行することが可能なハードウェア、の使用を通じて提供され得る。
【００２７】
従来及び／又はカスタムの他のハードウェアも含まれてよい。同様に、図示されている如何なるスイッチも、単に概念的である。それらの機能は、プログラムロジックの動作を通じて、専用のロジックを通じて、プログラム制御及び専用のロジックのインタラクションを通じて、又は手動によってさえ実行されてよい。特定の技術は、文脈からより具体的に理解されるように実施者によって選択可能である。
【００２８】
本願の特許請求の範囲において、特定の機能を実施する手段として表されている如何なる要素も、例えば、ａ）その機能を実施する回路素子の組み合わせ、又はｂ）あらゆる形をとり、従って、ファームウェア、マイクロコード又は同様ものを含むソフトウェアであって、機能を実施するよう当該ソフトウェアを実行する適切な回路構成と組み合わされるソフトウェアを含め、その機能を実施する如何なる方法も包含するよう意図される。そのような特許請求の範囲によって定義される本開示は、挙げられている様々な手段によって提供される機能が、特許請求の範囲が要求しているように組み合わされて１つにされるという事実にある。よって、そのような機能を提供することができる如何なる手段も、ここで示されているものと同等であると見なされる。これより、図面を参照して、主題が説明される。図面において、同じ参照符号は、全体を通して同じ要素を参照するために使用される。以下の記載では、説明のために、多数の具体的な詳細が、主題の完全な理解を提供するために示されている。なお、明らかなように、主題の実施形態は、それらの具体的な詳細によらずとも実施され得る。他の事例では、よく知られている構造及びデバイスは、実施形態を記載することを助けるために、ブロック図形式において示されている。
【００２９】
本発明は、衛星通信を介して受信された入力信号を処理する際に使用されるセットトップボックス（ＳＴＢ）のための新規のフロントエンドアーキテクチャを提供する。発明原理に従って、フロントエンドは、有利に、ＳＴＢのＦコネクタでのリターンロスを改善しながら、ＳＴＢがレガシー衛星信号及びＳＷＭ衛星信号の両方を処理することを可能にする。フロントエンドは、有利に、ＳＴＢが、略１７４ＭＨｚから２１５０ＭＨｚの範囲に及ぶ周波数バンドを有するフルスペクトル入力信号を、ＩＳＤＢ−Ｔバンド、高ＲＦ  ＭｏＣＡバンド及び衛星チューナバンドを含む幾つかのサブバンドに分けることを可能にする。フルスペクトル信号をそれらのサブバンドに分ける場合に、サブバンド間のトランジェントバンドは極めて小さく（１００ＭＨｚから２００ＭＨｚ程度）、設計されるように高周波サブバンド（例えば、ＭｏＣＡサブバンド及び衛星サブバンド）のための除去要件を実施することが絶対不可欠である。そうでなければ、夫々のサブバンド内のデータは失われるか、あるいは、別なふうに妥協され得る。フルスペクトル入力信号からサブバンドを生成するために使用される現在のフィルタリング技術に付随する問題を最小限とするよう、装置は、有利に、バンドパス／バンドストップ・ダイプレクサを使用する。ダイプレクサは、有利に、下流に位置する従来の衛星ハイパスフィルタとともに、極めて急峻なＭｏＣＡ除去を提供する。このトポロジは、ＳＴＢの回路構成を簡素化し、Ｆコネクタでのリターンロスの程度を改善する。ＬＰＦ／ＨＰＦダイプレクサしか使用しないことに付随して特定の問題がある。具体的に、ＦコネクタでＭｏＣＡバンド及び衛星バンドについて許容可能な程度のリターンロスを有しながら、ＭｏＣＡ周波数バンドの適切な除去を達成することは困難である。
【００３０】
衛星ＳＴＢは、ＭｏＣＡデータのためにリザーブされる衛星データに割り当てられるスペクトルの部分を有するＳＷＭモードでのＭｏＣＡデータを含まないレガシー衛星信号を処理することができる必要があるので、発明原理に従うフロントエンド装置は、有利に、特定のＳＴＢで受信される信号のタイプに基づき、適切なフィルタリング技術を提供する。図３Ａ及び３Ｂは、レガシー信号及びＳＷＭ信号の夫々のスペクトル及びサブバンドを表す。図３Ａでは、レガシー信号のフルスペクトルが与えられている。レガシー信号内のデータのフルスペクトル範囲は、１７４ＭＨｚから２１５０ＭＨｚの間である。レガシー信号は、異なるタイプのデータを有する２つの別個のサブバンドを含む。第１のサブバンドはＩＳＤＢＴサブバンドである。ＩＳＤＢＴサブバンドは、１７４ＭＨｚから８０６ＭＨｚの周波数範囲を有し、ＩＳＤＢ−Ｔ標準に従ってフォーマットされたデジタルテレビジョンデータを提供する。第２のサブバンドは、衛星サブバンドであり、図３ＡではＳＡＴとラベルを付されている。衛星サブバンドは、デジタルテレビジョンデータ及びオーディオデータを含み、９５０から２１５０ＭＨｚの間の範囲に及ぶ周波数を有する。様々なタイプのデータによって占有される衛星サブバンドの部分は知られており、これ以上は論じられる必要がない。
【００３１】
図３Ｂは、特定のＳＴＢによって受信され得る入力ＳＷＭ信号のフルスペクトルを表す。図３ＢにおけるＳＷＭ信号は３つのサブバンドを有する。第１のサブバンドは、図３Ａにおける第１のサブバンドと同じであり、ＩＳＤＢＴフォーマットのデジタルテレビジョン信号に相当する。第１のサブバンドの周波数バンドは、１７４ＭＨｚから８０６ＭＨｚの範囲に及ぶ。第２のサブバンドは、ＭｏＣＡに関連したデータを含むＭｏＣＡバンドである。第２の（ＭｏＣＡ）サブバンドに付随する周波数範囲は、９５０ＭＨｚから１０５０ＭＨｚの間である。ＳＷＭ信号における第３のサブバンドは、衛星データサブバンドに相当し、１２５０ＭＨｚから２１５０ＭＨｚの間の範囲に及ぶ。第３のサブバンドにおけるデータは、レガシー信号の第２のサブバンドに含まれるのと同じタイプのデータを含んでよい。
【００３２】
ＦＭ放送バンド８８〜１０８ＭＨｚは不要な信号であり、ＩＳＤＢ−Ｔローパスフィルタとカスケード接続されたハイパスフィルタが、ＦＭバンド、ＳＷＭトーン又はＤｉｓＥｑＣトーンを除去するよう適用される。レガシーモードにおいて、２２ｋＨｚのＤｉｓＥｑＣ信号は、ＬＮＢのような屋外ユニット、又は屋外のアンテナスイッチへコマンドを送るために使用される。ＳＷＭモードにおいて、２．３ＭＨｚのＦＳＫ信号は、衛星アンテナから来る衛星トランスポンダへＳＷＭチャネルを割り当てるよう、屋外のＳＷＭモジュールと通信するために使用される。
【００３３】
衛星ＳＴＢによって処理され得る２つのタイプの入力信号の実例は、発明原理に従うフロントエンドトポロジによって解決される課題を理解することへのカギである。図３ＢにおけるＳＷＭ信号を参照し直すと、ＭｏＣＡバンドと衛星バンドとの間には、トランジェントバンドと呼ばれる、使用されていない特定の周波数空間が存在する。それらのサブバンドをフルスペクトル信号から除去するために、様々なフィルタは、特定の用途に使用されない信号の部分を減衰させる必要がある。十分な減衰は、フィルタが意図されたように動作することを可能にするよう、望ましいサブバンドの間のトランジェントバンドが十分な長さを持つことを求める。図１及び２で論じられたような従前の繰り返しにおいて、夫々が適切な中心周波数を有するローパスフィルタ及びハイパスフィルタの組み合わせを含むダイプレクサのカスケードが使用されてきた。しかし、それらのフィルタのための周波数範囲は、許容可能な程度のリターンロスを提供しない。これは、ＭｏＣＡサブバンドが通過するために、フルスペクトル入力信号の略１．１ＧＨｚ部分において１００ＭＨｚから２００ＭＨｚの範囲内で略５０ｄＢの除去が存在すべきであるからです。これを打開するよう、発明原理に従うフロントエンドは、バンドストップフィルタ及びバンドパスフィルタから形成される第１のダイプレクサをＦコネクタと第２プレクサとの間に置くようＳＴＢのトポロジを変更する。第２のダイプレクサは、所定の中心周波数を有するハイパスフィルタと、ハイパスフィルタの中心周波数よりも低い所定の中心周波数を有するローパスフィルタとを含む。選択性及びリターンロスを改善する本発明のトポロジは、図４で表されている。装置は、Ｆコネクタと第１及び第２のダイプレクサの夫々との間に位置するスイッチを更に含む。よって、信号のタイプを検出することに応答して、スイッチは、出力が第２のダイプレクサへの入力として供給される第１のダイプレクサ、又は単に、原入力信号にフィルタをかける第２のダイプレクサ、のいずれか一方とＦコネクタを接続するよう、選択的に制御される。
【００３４】
フルスペクトルＳＷＭ信号の処理の間に選択性を改善するフロントエンドトポロジを含む装置１００は、図４に示されている。図４に示されているコンポーネントは、衛星信号を処理するためにＳＴＢ内に通常は含まれており、本発明の原理を説明するよう明りょうさを目的として使用される略された多数のコンポーネントを含む。発明原理に従うＳＴＢのより詳細な説明は、図６に関連して以降で記載される。
【００３５】
入力信号はＦコネクタ１０２を介して受信される。受信される入力信号は、第１のタイプの入力信号又は第２のタイプの入力信号であってよい。装置１００は、入力信号が第１のタイプ又は第２のタイプのいずれであるのかを知るよう事前設定される。第１のタイプの入力信号は、夫々が異なるタイプのデータを含む少なくとも２つの異なるサブバンドを含み、一方、第２のタイプの入力信号は、夫々がデータを含む少なくとも３つの異なるサブバンドを含む。第１及び第２のタイプの入力信号の夫々における第１のサブバンドは、同じタイプのデータが含まれている。同様に、第１のタイプの入力信号の第２のサブバンド及び第２のタイプの入力信号の第３のサブバンドも、同じタイプのデータを含む。しかし、第２のタイプの入力信号の第２のサブバンドに含まれるデータは、第１のタイプの入力信号には存在しない。一実施形態において、第１のタイプの入力信号は、図３Ａで表されているのと同様のレガシー信号であり、一方、第２のタイプの入力信号は、図３Ｂで表されているのと同様のＳＷＭ信号である。
【００３６】
装置１００は第１のダイプレクサ１１０を含む。第１のダイプレクサ１１０は、信号の所定の部分を減衰させながら信号の残り部分を如何なる減衰もなしに通すバンドストップ（ＢＳ）フィルタ１１２を含む。バンドストップフィルタ１１２の出力は、第１のフィルタ処理された信号である。第１のダイプレクサ１１０は、所定の周波数範囲内の信号の部分を通しながらパスバンドの外にある残り部分を減衰させるバンドパス（ＢＰ）フィルタ１１４を更に含む。バンドパスフィルタ１１４の出力は、第２のフィルタ処理された信号である。ＢＳフィルタ１１２及びＢＰフィルタ１１４の夫々は、略同じ中心周波数を有する。これは、有利なことに、所定のサブバンドの十分な除去を提供しながら、他のサブバンドがＢＳフィルタ１１２を介して通されることを可能にすると同時に、除去されるバンドがＢＰフィルタのパスバンドであることを可能にする。一実施形態において、ＢＳフィルタ１１２及びＢＰフィルタ１１４は、略１ＧＨｚの夫々の中心周波数を有し、それによって、１つの伝送経路において入力信号の部分の所定の除去を提供しながら第２の別の伝送線路における使用のために除去された部分を保つために必要とされるスペクトルを低減する。例えば、ＢＳフィルタ１１２は、第２のタイプの入力信号における第２のサブバンドに対応する信号の部分を除去することによって第１のフィルタ処理された信号を生成し、更なる処理のためにより低い周波数及びより高い周波数を有する信号の部分を提供する。同時に、ＢＰフィルタ１１４は、第２のサブバンドの周波数を上回る周波数及びそれを下回る周波数を有する第２のタイプの入力信号の部分を減衰させることによって第２のフィルタ処理された信号を生成する。
【００３７】
装置１００は、所定のカットオフ周波数を下回る信号の部分が通ることを可能にして第３のフィルタ処理された信号を生成するローパスフィルタ（ＬＰＦ）１０６を含む第２のダイプレクサ１０４を更に含む。第２のダイプレクサ１０４は、別のより高い所定のカットオフ周波数を上回る信号の部分が通ることを可能にして第４のフィルタ処理された信号を生成するハイパスフィルタ（ＨＰＦ）１０８を更に含む。一実施形態において、ＬＰＦ１０６のカットオフ周波数は８０６ＭＨであって、第１のタイプの入力信号又は第２のタイプの入力信号のいずれか一方の第１のサブバンド（例えば、ＩＳＤＢＴサブバンド）におけるデータが通ることを可能にする。この実施形態では、ＨＰＦ１０８のカットオフ周波数は９５０ＭＨｚであって、第１のタイプの入力信号の第２のサブバンド及び第２のタイプの入力信号の第３のサブバンドにおけるデータが通ることを可能にする。全ての他の事例では、ＬＰＦ１０６及びＨＰＦ１０８は、信号の残り部分を減衰させる。
【００３８】
スイッチ１１６は、Ｆコネクタで受信される入力信号のタイプに応じて、Ｆコネクタ１０２を第１のダイプレクサ１１０又は第２のダイプレクサ１０４と選択的に接続する。システムコントローラ（図６に図示及び説明される。）から供給される制御信号１１８は、受信される信号のタイプを識別する。第１の動作モードにおいて、装置は、Ｆコネクタ１０２で第２のタイプの入力信号を受信するよう構成される。第１の動作モードでは、スイッチ１１６は、Ｆコネクタ１０２を第１のダイプレクサ１１０と接続し、更には、第１のダイプレクサ１１０のＢＳフィルタ１１２の出力を第２のダイプレクサ１０４と接続するよう構成される。この構成は、有利なことに、ＢＳフィルタ１１２が第２のサブバンドに対応する第２のタイプの入力信号の部分を減衰させることを可能にし、それによって第２のフィルタ処理された信号を生成しながら、より高い周波数及びより低い周波数を有する入力信号の部分を第１のフィルタ処理された信号を第２のダイプレクサ１０４へ供給する。次いで、第２のダイプレクサ１０４は、除去されるバンドを下回るサブバンド及びそのバンドを上回るサブバンドを含む変更された第２のタイプの入力信号に相当する第１のフィルタ処理された信号を受信し、それによって、ＬＰＦ１０６及びＨＰＦ１０８が、第３及び第４のフィルタ処理された信号を夫々生成するようそれらの夫々のサブバンドにフィルタをかけることを可能にする。より具体的には、ＬＰＦ１０６は、ＬＰＦ１０６のカットオフ周波数を上回る第２のタイプの入力信号の部分を減衰させ、ＩＳＤＢＴフォーマットのテレビジョンデータを表す第１のサブバンドを出力する。同時に、第２のダイプレクサ１０４のＨＰＦ１０８は、ＨＰＦ１０８のカットオフ周波数を下回る第２のタイプの入力信号の部分を減衰させ、衛星データを表す第３のサブバンドを出力する。
【００３９】
加えて、ＢＰフィルタ１１４を含むことは、有利なことに、第２のサブバンド（例えば、ＭｏＣＡデータ）の周波数範囲に実質的に対応するパスバンドを定義し、全ての他の周波数を減衰させる。よって、ＢＰフィルタ１１４の出力は、ＭｏＣＡデータに対応する第２のタイプの入力信号の第２のサブバンドに相当する。
【００４０】
制御信号１１８は、代替的に、装置１００が第２の動作モードにおいて動作すべきことを示してよい。このモードでは、装置は、Ｆコネクタ１０２で第１のタイプの信号を受信するよう構成されてよい。装置が第２のモードで動作していることを示す制御信号１１８に応答して、スイッチ１１６は、Ｆコネクタ１０２を第２のダイプレクサ１０４と接続する。その接続時に、第２のダイプレクサ１０４のＬＰＦ１０６は、ＬＰＦ１０６のカットオフ周波数を上回る第１のタイプの入力信号の部分を減衰させ、ＩＳＤＢＴフォーマットのテレビジョンデータを表す第１のサブバンド（例えば、第３のフィルタ処理された信号）を出力する。同時に、第２のダイプレクサ１０４のＨＰＦ１０８は、ＨＰＦ１０８のカットオフ周波数を下回る第１のタイプの信号の部分を減衰させ、衛星データを表す第２のサブバンド（例えば、第４のフィルタ処理された信号）を出力する。
【００４１】
図４で記載されるトポロジは、有利なことに、図７に示されるように、Ｆコネクタ１０２での許容可能なレベルのリターンロスを有し、選択性は、図７Ｂ及び図７Ｃに示されるように、設計要件を十分に満足することができ、ＢＳフィルタ１１２は、１．１ＧＨｚ前後の入力信号の７０ＭＨｚ内の略６０ｄＢの除去を提供する。
【００４２】
図４の第１のダイプレクサ１１０の例となる回路図は、図５に示されている。第１のダイプレクサ１１０は、バンドストップフィルタ１１２及びバンドパスフィルタ１１４を含む。バンドパスフィルタ１１４は、直列に配置されているインダクタ及びキャパシタから形成されている直列共振回路５０６ａ〜５０６ｄの複数の組と、並列に配置されているインダクタ及びキャパシタから形成されている並列共振回路５０８ａ〜５０８ｃの組とを含む。直列共振回路５０６ａ〜５０６ｃの夫々は、夫々の並列共振回路５０８ａ〜５０８ｃが後に続く。最後の直列共振回路５０６ｄは出力部５０４へ接続されている。
【００４３】
第１のダイプレクサ１１０のバンドストップフィルタ１１２は、並列に配置されているインダクタ及びキャパシタから形成されている並列共振フィルタ５１０ａ〜５１０ｄの複数の組と、直列に配置されているインダクタ及びキャパシタから形成されている直列共振フィルタ５１２ａ〜５１２ｃの組とを含む。夫々の並列共振フィルタ５１０ａ〜５１０ｃは、夫々の直列共振フィルタ５１２ａ〜５１２ｃが後に続く。並列共振フィルタ５１０ｄの出力は出力部５０６へ接続されている。
【００４４】
図５に示されるように、ダイプレクサは７次ダイプレクサである。なお、これは、単なる一例として記載されており、ダイプレクサは如何なる次数であってもよく、当業者であれば、入力信号の１つのサブバンドを除去するバンドストップフィルタと、その除去されるサブバンドのみが通過することができるようにするバンドパスフィルタとを有効に生成するよう如何にして直列及び並列共振フィルタのコンポーネントを設計すべきかを理解するであろう。
【００４５】
発明原理に従うフロントエンドを含む例となるＳＴＢ６００は、図６で表されている。ＳＴＢ６００は、その動作を制御するための命令を実行するコントローラ６０２を含む。コントローラ６０２は、全てのＭｏＣＡ関連データを処理及びルーティングするためのＭｏＣＡモジュール６０４を含む。コントローラ６０２は、ＳＴＢ６００によって受信されるチューニングされたデジタルテレビジョンデータを処理するためのレガシー復調器６０６並びにＡ３チューナ及び復調器６０８を更に含む。ＳＴＢ６００は、第１のタイプの入力信号１０１ａ又は第２のタイプの入力信号１０１ｂの一方を選択的に受信するＦコネクタ１０２を更に含む。ＳＴＢ６００のコントローラ６０２は、第１のタイプの入力信号又は第２のタイプの入力信号の両方を処理するための命令を実行することができ、一方、コントローラ６０２は、第１又は第２のタイプの入力信号の一方を処理するよう事前設定される。この設定は、一般に、衛星受信器が組み込まれて、ＳＴＢ６００がユーザの位置において設けられる場合に、実行される。ＳＴＢ６００は、３．３ＭＨｚ  ＦＳＫトランシーバであるＳＷＭ回路６０７を更に含む。ＳＷＭ回路６０７は、衛星トランスポンダをＳＷＭチャネルに移すために、屋外のＳＷＭユニットへコマンドを送る。加えて、ＳＷＭ回路６０７は、屋外ユニットのステータス／応答を更に受信し、その情報をコントローラ６０２へ提供してよい。
【００４６】
ＳＴＢ６００は、ＭｏＣＡトランシーバ６１０、レガシーチューナ６１２及びＩＳＤＢＴチューナ６１８を更に含む。ＭｏＣＡトランシーバ６１０は、第２のタイプの入力信号１０１ｂの特定のサブバンドを構成するＭｏＣＡ信号を処理する。特に、ＭｏＣＡサブバンドは、９５０ＭＨｚから１０５０ＭＨｚの周波数範囲によって定義される。ＭｏＣＡ信号は、ＳＴＢ６００とそれに対してホームネットワーク（例えば、ホーム内で配線された同軸ケーブル）を介して接続されている他のＳＴＢとの間のＭｏＣＡデータの送信及び受信を可能にする。ＭｏＣＡトランシーバ６１０によって処理されたＭｏＣＡデータは、コントローラ６０２のＭｏＣＡモジュール６０４へ更に供給される。ＭｏＣＡモジュール６０４は、ＭｏＣＡ標準に従う全てのアルゴリズムを含み、ＭｏＣＡデータの処理を更に進める。
【００４７】
レガシーチューナ６１２は、９５０ＭＨｚから２１５０ＭＨｚの周波数範囲を有する第１のタイプの入力信号１０１ａの第２のサブバンド、又は１２５０ＭＨｚから２１５０Ｍの周波数範囲を有する第２のタイプの入力信号１０１ｂの第３のサブバンドのいずれか一方を形成する衛星データ（例えば、ネットワーキングデータ）を処理する。レガシーチューナ６１２は、ＲＦ入力信号を増幅器６１４及びバラン６１６を介してＡ３チューナ及び復調器６０８へ分けるループスルー増幅器を有する。レガシー復調器６０６並びにＡ３チューナ及び復調器６０８は、表示又は他の処理のために、復調された衛星データを夫々の出力部６０３へ選択的に供給する。レガシー復調器６０６は、夫々の衛星ＴＶチャネルについて、周波数、ＦＥＣレート、シンボルレートのような衛星ネットワーク情報を復号し、Ａ３チューナ及び復調器６０８は、衛星ＴＶチャネルデータを復号し、データストリームを処理及び視聴出力のためにビデオデコーダへ送る。出力部６０３は、ＨＤＭＩコンポーネント及び／又はコンポジットビデオポートを含む如何なるタイプの視聴覚出力ポートも含んでよい。出力部６０３は、ネットワーキングデータを出力するためのＥｔｈｅｒｎｅｔ（登録商標）ポートを更に含んでよい。出力部のそれらのタイプは、単なる一例として与えられており、如何なるタイプの出力部もＳＴＢ６００内に含まれてよい。
【００４８】
ＩＳＤＢＴチューナ６１８は、第１の入力信号１０１ａ又は第２の入力信号１０１ｂのいずれか一方の第１のサブバンドに含まれるデータを選択的にチューニングする。第１のサブバンドは、１７４ＭＨｚから８０６ＭＨｚの間の周波数範囲を有し、ＩＳＤＢＴフォーマットのデジタルテレビジョンデータを含む。ＩＳＤＢＴチューナ６１８は、この周波数範囲における入力信号を受信し、ユーザによって選択された特定の周波数にチューニングする。チューニングされた信号は、ＩＳＤＢＴチューナ６１８によって復調され、コントローラ６０２によって夫々の出力部６０３へ供給される。ＩＳＤＢＴチューナ６１８より上流には、略１７４ＭＨｚのカットオフ周波数を有するハイパスフィルタ６１７がある。ハイパスフィルタ６１７は、ＦＭバンド、ＳＷＭトーン又はＤｉｓＥｑＣトーンを除去する。レガシーモードにおいて、２２ｋＨｚのＤｉｓＥｑＣ信号は、ＬＮＢのような屋外ユニット、又は屋外のアンテナスイッチへコマンドを送るために使用される。ＳＷＭモードにおいて、２．３ＭＨｚのＦＳＫ信号は、衛星アンテナから来る衛星トランスポンダへＳＷＭチャネルを割り当てるよう、屋外のＳＷＭモジュールと通信するために使用され、個の信号は、上記のＳＷＭ回路６０７によって処理される。
【００４９】
ＳＴＢ６００は第１のダイプレクサ１１０を含む。第１のダイプレクサ１１０は、所定の周波数バンド内のデータを除去するよう入力信号１０１を減衰させるとともに、更なる処理のために全ての他の周波数で入力信号のデータを通すバンドストップフィルタ１１２を含む。第１のダイプレクサ１１０は、所望のパスバンドの外にある全ての周波数で入力信号を減衰させるバンドパスフィルタ１１４を含む。よって、バンドパスフィルタ１１４は、更なる処理のために出力されるべき特定のサブバンドを入力信号から選択する。ＳＴＢ６００は第２のダイプレクサ１０４を更に含む。第２のダイプレクサ１０４は、所定のカットオフ周波数を上回る入力信号を減衰させるローパスフィルタ１０６と、所定のカットオフ周波数を下回る入力信号を減衰させるハイパスフィルタ１０８とを含む。ローパスフィルタ１０６のカットオフ周波数は、ハイパスフィルタ１０８のカットオフ周波数よりも低い。
【００５０】
スイッチ１１６は、Ｆコネクタ１０２を、第１の動作モードでは第１のダイプレクサ１１０と、第２の動作モードでは第２のダイプレクサ１０４と選択的に接続する。ＳＴＢ６００の動作モードは、Ｆコネクタ１０２で受信される入力信号のタイプに基づき決定される。第１の動作モードにおいて、ＳＴＢ６００は、図３Ｂで示されるような第２のタイプの入力信号を受信するよう構成される。第２のタイプの入力信号は、ＭｏＣＡデータを含む追加のサブバンドを有する。第２の動作モードにおいて、ＳＴＢ６００は、図３Ａで示されるような第１のタイプの入力信号を受信するよう構成される。第１のタイプの入力信号はレガシー信号であり、ＭｏＣＡデータのサブバンドを含まない。
【００５１】
コントローラ６０２は、ＳＴＢ６００が動作すべき動作のタイプを決定することに応答してスイッチ１１６を設定する制御信号１１８を発する。第１の動作モードにおいて、コントローラ６０２は、ＳＴＢ６００がＦコネクタ１０２で第２のタイプの入力信号を受信するよう構成されると決定する。第２のタイプの入力信号は、ＩＳＤＢＴデータに対応する、１７４ＭＨｚから８０６ＭＨｚの周波数範囲を持った第１のサブバンドと、ＭｏＣＡデータに対応する、９５０ＭＨｚから１０５０ＭＨｚの周波数範囲を持った第２のサブバンドと、衛星データに対応する、１２５０ＭＨｚから２１５０ＭＨｚの周波数範囲を持った第３のサブバンドとを含む。制御信号１１８は、Ｆコネクタ１０２を第１のダイプレクサ１１０と接続するようスイッチ１１６を設定し、更には、バンドストップフィルタ１１２の出力を第２のダイプレクサ１０４へ接続する。第２のタイプの入力信号１０１ｂは、スイッチ１１６を介して第１のダイプレクサ１１０へ供給される。バンドストップフィルタ１１２は、第２のサブバンド（例えば、ＭｏＣＡデータ）に対応する周波数で第２のタイプの入力信号を減衰させながら第１のサブバンド及び第３のサブバンドが第１のフィルタ処理された信号として第２のダイプレクサ１０４へ後述される更なるフィルタリングのために供給されることを可能にすることによって、第１のフィルタ処理された信号を生成する。
【００５２】
第２の入力信号１０１ｂは、バンドパスフィルタ１１４によって更にフィルタをかけられる。バンドパスフィルタ１１４は、９５０ＭＨｚから１０５０ＭＨｚの間のパスバンドによって定義された周波数の外の周波数で第２のタイプの入力信号１０１ｂを減衰させることによって、第２のフィルタ処理された信号を生成する。このように、バンドパスフィルタ１１４によって出力される信号は、当該技術で知られている更なる処理のためにＭｏＣＡトランシーバ６１０へ供給されるＭｏＣＡ関連データを含む第２のサブバンドに対応する。
【００５３】
第２のダイプレクサ１０４は、入力として、第１のフィルタ処理された信号を受信する。第１のフィルタ処理された信号は、第３のフィルタ処理された信号を生成するようローパスフィルタ１０６によって、そして、第４のフィルタ処理された信号を生成するようハイパスフィルタ１０８によってフィルタをかけられる。ローパスフィルタ１０６は、８０６ＭＨｚよりも大きい周波数で入力信号を減衰させ、第１のサブバンドを実質的に含む信号をＩＳＤＢＴチューナ６１８へ出力する。ＩＳＤＢＴチューナ６１８は、信号を然るべく処理し、チューニングされた信号は、コントローラ６０２による出力の前にＩＳＤＢＴ復調器６２０によって復調される。加えて、第１のタイプの入力信号１０１ａは、ハイパスフィルタ１０８によってフィルタをかけられる。ハイパスフィルタ１０８は、９５０ＭＨｚに満たない周波数で第１のタイプの入力信号を減衰させ、第２のサブバンドを実質的に含む信号を、コントローラ６０２によって出力される前に、レガシーチューナ６１２へ出力する。
【００５４】
ＳＴＢ６００が第２のモードで動作すべきとコントローラ６０２が決定する場合に、制御信号１１８は、Ｆコネクタ１０２を第２のダイプレクサ１０４と接続するようスイッチ１１６を設定する。動作において、ＩＳＤＢＴデータに対応する、１７４ＭＨｚから８０６ＭＨｚの周波数を持った第１のサブバンドと、衛星データに対応する、９５０ＭＨｚから２１５０ＭＨｚの周波数範囲を持った第２のサブバンドとを有する第１のタイプの入力信号１０１ａが、Ｆコネクタ１０２で受信される。スイッチ１１６は、Ｆコネクタ１０２を第２のダイプレクサ１０４と接続するよう設定されるので、第１のタイプの入力信号１０１ａは、第３のフィルタ処理された信号を生成するようローパスフィルタ１０６によって、そして、第４のフィルタ処理された信号を生成するようハイパスフィルタ１０８によってフィルタをかけられる。ローパスフィルタ１０６は、８０６ＭＨｚよりも大きい周波数で入力信号を減衰させ、第１のサブバンドを実質的に含む信号をＩＳＤＢＴチューナ６１８へ出力する。ＩＳＤＢＴチューナ６１８は、信号を然るべく処理し、チューニングされた信号は、コントローラ６０２による出力の前にＩＳＤＢＴ復調器６２０によって復調される。加えて、第１のタイプの入力信号１０１ａは、ハイパスフィルタ１０８によってフィルタをかけられる。ハイパスフィルタ１０８は、９５０ＭＨｚに満たない周波数で第１のタイプの入力信号を減衰させ、第２のサブバンドを実質的に含む信号を、コントローラ６０２によって出力される前に、レガシーチューナ６１２へ出力する。
【００５５】
図６におけるＳＴＢ６００のトポロジは、有利なことに、Ｆコネクタ１０２でのリターンロスを改善し、ＢＳフィルタ１１２は、１．１ＧＨｚ前後の入力信号の７０ＭＨｚ内での略６０ｄＢの除去を提供する。
【００５６】
図７Ａ乃至７Ｄは、図４乃至６における第１のダイプレクサ１１０の周波数応答のグラフ表示を提供する。それらのグラフは、ＳＴＢ６００が第１のモードにおいて動作しており、第１のダイプレクサ１１０を用いて、第２のダイプレクサ１０４によるフィルタリングより前にＭｏＣＡ除去を提供する場合において、改善されたリターンロス及び選択性の視覚表現を更に提供する。７０２のラベルを付された線は、パスバンド周波数特性を表す。これは、図７Ｂにおいて明らかに示されている。一方、７０４のラベルを付された線は、バンドストップ周波数応答を表し、図７Ｃにおいて明らかに示されており、７０６のラベルを付された線は、所与の周波数バンドでのリターンロスを表し、図７Ｄにおいて明らかに示されている。線７０２ａ及び７０４ａは、略９５０ＭＨｚで集まり、それによって、バンドストップの下限を設定する。線７０２ｂ及び７０４ｂは、バンドストップの上限に相当する略１０５０ＭＨｚで集まる。第１のダイプレクサ１１０にこの構成を使用することによって、装置は、有利なことに、ＭｏＣＡバンド９５０ＭＨｚから１０５０ＭＨｚにわたって６０ｄＢの除去を達成する。図７Ａから、ＭｏＣＡパスバンドの選択性は急勾配であり、１０５０ＭＨｚから１２５０ＭＨｚへの遷移は８０ｄＢに達し得ることが分かる。更には、Ｆコネクタでのリターンロスは、ＳＴＢ設計にとって課題である衛星バンドでの略３５ｄＢの大変望ましいレベルに達することができる。このことは大いに望ましい。これは、１０ｄＢよりも大きいリターンロスが優れたワイドバンド設計に相当し、ほとんどのＳＴＢが８ｄＢ以上のリターンロス設計要件を有することが、従来より理解されているためである。図７Ｄは、図４乃至６のダイプレクサによって処理される入力信号の全てのサブバンドに対するこの大いに望ましいリターンロスを示す。図７Ａは、図７Ｂ乃至７Ｄの個々のプロットを含む結合プロットである。
【００５７】
図８は、発明原理に従うＳＴＢ６００によって衛星信号が処理される方法を詳述するフロー図である。ステップ８０２で、入力信号はスイッチ１１６で受信される。入力信号は所定の周波数範囲を有し、所定の周波数範囲は少なくとも２つの周波数サブバンドを含む。ステップ８０４で、コントローラ６０２は、第１のモードと第２のモードとの間で動作するようスイッチ１１６を作動させる。第１のモードで動作するようスイッチ１１６を作動させることに応答して、ステップ８０６で、第１のダイプレクサ１１０はスイッチ１１６の第１の出力部へ接続され、ステップ８０８で、入力信号は第１のダイプレクサ１１０へ供給される。ステップ８１０で、第１のフィルタ処理された信号が生成される。第１のフィルタ処理された信号は、第１の周波数サブバンド及び第２の周波数サブバンドを含む。ステップ８１２で、第２のフィルタ処理された信号は生成され、第３の周波数サブバンドを含む。ステップ８１４で、第１のフィルタ処理された信号は第２のダイプレクサ１０４へ供給される。第１のフィルタ処理された信号に基づき、ステップ８１６で、第１の周波数サブバンドを含む第３のフィルタ処理された信号及び第２の周波数サブバンドを含む第４のフィルタ処理された信号は生成される。ステップ８１８で、第２のフィルタ処理された信号は、第１のタイプのデータを導出するよう、第１のダイプレクサ１１０からコントローラ６０２へ供給される。ステップ８２０で、第３及び第４のフィルタ処理された信号は、第２の別のタイプのデータを導出するようコントローラ６０２へ供給される。
【００５８】
ステップ８０４へ戻って、第２のモードで動作するようスイッチ１１６を作動させることに応答して、ステップ８０５で、スイッチ１１６の第２の出力部は第２のダイプレクサ１０４へ接続される。ステップ８０７で、入力信号は第２のダイプレクサ１０４へ供給される。ステップ８０９で、第１の周波数サブバンドを含む第３のフィルタ処理された信号及び第２の周波数サブバンドを含む第４のフィルタ処理された信号は、入力信号を用いて生成される。第３及び第４のフィルタ処理された信号が第２の動作モードにおいて生成されると、プロセスはステップ８２０で続き、これによって、第３及び第４のフィルタ処理された信号は、第２の別のタイプのデータを導出するようコントローラ６０２へ供給される。
【００５９】
ここで記載される実施は、例えば、方法若しくはプロセス、装置、又はハードウェア及びソフトウェアの組み合わせにおいて実施されてよい。たとえ単一の実施形態に関してしか論じられないとしても（例えば、方法としてしか論じられないとしても）、論じられている特徴の実施は、他の形態（例えば、ハードウェアによる装置、ハードウェア及びソフトウェアによる装置、又はコンピュータ可読媒体）においても実施されてよい。装置は、例えば、適切なハードウェア、ソフトウェア、及びファームウェアにおいて実施されてよい。方法は、例えば、プロセッサのような装置において実施されてよい。プロセッサは、如何なるプロセッシングデバイスも指し、例えば、コンピュータ、マイクロプロセッサ、集積回路、又はプログラム可能なロジックデバイスを含む。プロセッシングデバイスは、例えば、コンピュータ、携帯電話機、タブレット、ポータブル／パーソナルデジタルアシスタント（“ＰＤＡ”）、及びエンドユーザ間の情報のやり取りを助ける他のデバイスのような、通信デバイスを更に含む。
【００６０】
加えて、方法は、プロセッサによって実行される命令によって実施されてよく、そのような命令は、プロセッサ、あるいは、例えば、集積回路、ソフトウェア担体又は他の記憶デバイス（例えば、ハードディスク、コンパクトディスケット、ランダムアクセスメモリ（“ＲＡＭ”）、リードオンリーメモリ（“ＲＯＭ”）又はあらゆる他の磁気、光、若しくは固体状態媒体）のようなコンピュータ可読媒体において記憶されてよい。命令は、上記の媒体のいずれかのようなコンピュータ可読媒体において有形に具現されるアプリケーションプログラムを形成してよい。当然に、プロセッサは、プロセッサユニットの部分として、例えば、プロセスを実行するための命令を有するコンピュータ可読媒体を含んでよい。命令は、本発明の方法に対応し、実行される場合に、汎用コンピュータを、本発明の方法を実行する特定のマシンに変えることができる。
【００６１】
上述されたものは、実施形態の例を含む。当然、実施形態を説明する目的でコンポーネント又はメソッドロジの考えられるあらゆる組み合わせを記載することは不可能であり、当業者であれば、実施形態の更なる組み合わせ及び置換が可能であると認識することができる。然るに、主題は、添付の図面の主旨及び適用範囲内にある全てのそのような代替、改良及び変更を包含するよう意図される。更には、語「含む（includes）」が詳細な説明又は特許請求の範囲のいずれかにおいて使用される限りにおいて、そのような語は、語「有する（comprising）」が請求項において‘つなぎ語（transitional  word）’として用いられる場合に解釈されるように、語「有する」と同様に包括的であるよう意図される。
【図１】
2017510101.tif 000003
【図２】
2017510101.tif 000004
【図３Ａ】
2017510101.tif 000005
【図３Ｂ】
2017510101.tif 000006
【図４】
2017510101.tif 000007
【図５】
2017510101.tif 000008
【図６】
2017510101.tif 000009
【図７Ａ】
2017510101.tif 000010
【図７Ｂ】
2017510101.tif 000011
【図７Ｃ】
2017510101.tif 000012
【図７Ｄ】
2017510101.tif 000013
【図８】
2017510101.tif 000014
【手続補正書】
【提出日】平成28年12月12日(2016.12.12)
【手続補正１】
【補正対象書類名】明細書
【補正対象項目名】００６１
【補正方法】変更
【補正の内容】
【００６１】
上述されたものは、実施形態の例を含む。当然、実施形態を説明する目的でコンポーネント又はメソッドロジの考えられるあらゆる組み合わせを記載することは不可能であり、当業者であれば、実施形態の更なる組み合わせ及び置換が可能であると認識することができる。然るに、主題は、添付の図面の主旨及び適用範囲内にある全てのそのような代替、改良及び変更を包含するよう意図される。更には、語「含む（includes）」が詳細な説明又は特許請求の範囲のいずれかにおいて使用される限りにおいて、そのような語は、語「有する（comprising）」が請求項において‘つなぎ語（transitional  word）’として用いられる場合に解釈されるように、語「有する」と同様に包括的であるよう意図される。  
上記の実施形態に加えて、以下の付記を開示する。
（付記１）
衛星信号を処理する装置であって、
少なくとも２つの周波数サブバンドを含む所定の周波数範囲を有する入力信号を受信するスイッチと、
前記スイッチの第１の出力部へ接続され、第１の周波数サブバンド及び第２の周波数サブバンドを含む第１のフィルタ処理された信号と、第３の周波数サブバンドを含む第２のフィルタ処理された信号とを生成する第１のダイプレクサと、
前記スイッチの第２の出力部へ接続され、前記第１の周波数サブバンドを含む第３のフィルタ処理された信号と、前記第２の周波数サブバンドを含む第４のフィルタ処理された信号とを生成する第２のダイプレクサと、
第１のモードと第２のモードとの間で動作するよう前記スイッチを作動させるコントローラと
を有し、
前記第１のモードにおいて、前記スイッチは、前記第１のフィルタ処理された信号及び前記第２のフィルタ処理された信号を生成するよう、前記入力信号を前記第１のダイプレクサへ供給し、該第１のダイプレクサは、前記第１のフィルタ処理された信号から前記第３のフィルタ処理された信号及び前記第４のフィルタ処理された信号を生成するよう、前記第１のフィルタ処理された信号を前記第２のダイプレクサへ供給し、前記第２のフィルタ処理された信号は、それから第１のタイプのデータを導出するよう前記コントローラへ供給され、前記第３のフィルタ処理された信号及び前記第４のフィルタ処理された信号は、それらから第２の異なるタイプのデータを導出するよう前記コントローラへ供給され、
前記第２のモードにおいて、前記スイッチは、前記入力信号から前記第３のフィルタ処理された信号及び前記第４のフィルタ処理された信号を生成するよう、前記入力信号を前記第２のダイプレクサへ供給し、前記第２のダイプレクサは、前記第３のフィルタ処理された信号及び前記第４のフィルタ処理された信号を前記コントローラへ供給してそれらから前記第２の異なるタイプのデータが導出されるようにする、
装置。
（付記２）
前記第１のダイプレクサは、バンドストップフィルタ及びバンドパスフィルタを含み、
前記バンドパスフィルタのパスバンドは、前記バンドストップフィルタによって拒絶されるバンドと等しい、
付記１に記載の装置。
（付記３）
前記第２のダイプレクサは、ハイパスフィルタ及びローパスフィルタを含み、
前記ローパスフィルタのカットオフ周波数は、前記ハイパスフィルタのカットオフ周波数よりも小さい、
付記１に記載の装置。
（付記４）
前記入力信号は、レガシー衛星信号及び単線マルチスイッチ（ＳＷＭ）モード信号のうちの１つを含む、
付記１に記載の装置。
（付記５）
前記レガシー衛星信号は、ＩＳＤＢＴデータを有する第１のサブバンドと、衛星データを有する第２のサブバンドとを含み、
前記第２のサブバンドは、前記第１のサブバンドよりも高い周波数範囲を有する、
付記４に記載の装置。
（付記６）
前記ＳＷＭモード信号は、ＩＳＤＢＴデータを有する第１のサブバンドと、ＭｏＣＡデータを有する第２のサブバンドと、衛星データを有する第３のサブバンドとを含み、
前記第２のサブバンドは、前記第１のサブバンドの周波数範囲と前記第３のサブバンドの周波数範囲との間の周波数範囲を有する、
付記４に記載の装置。
（付記７）
衛星信号を処理する方法であって、
スイッチにおいて、少なくとも２つの周波数サブバンドを含む所定の周波数範囲を有する入力信号を受信するステップと、
第１のモードと第２のモードとの間で動作するようコントローラによって前記スイッチを作動させるステップであって、
前記第１のモードで動作するよう前記スイッチを作動させることに応答して、
第１のダイプレクサを前記スイッチの第１の出力部へ接続し、
前記入力信号を前記第１のダイプレクサへ供給し、
第１の周波数サブバンド及び第２の周波数サブバンドを含む第１のフィルタ処理された信号と、第３の周波数サブバンドを含む第２のフィルタ処理された信号とを生成し、
前記第１のフィルタ処理された信号を第２のダイプレクサへ供給し、
前記第１のフィルタ処理された信号に基づき、前記第１の周波数サブバンドを含む第３のフィルタ処理された信号と、前記第２の周波数サブバンドを含む第４のフィルタ処理された信号とを生成し、
前記第２のモードで動作するよう前記スイッチを作動させることに応答して、
前記スイッチの第２の出力部を前記第２のダイプレクサへ接続し、
前記入力信号を前記第２のダイプレクサへ供給し、
前記入力信号に基づき、前記第１の周波数サブバンドを含む前記第３のフィルタ処理された信号と、前記第２の周波数サブバンドを含む前記第４のフィルタ処理された信号とを生成し、
前記第１のダイプレクサから前記第２のフィルタ処理された信号を前記コントローラへ供給して、第１のタイプのデータを導出し、
前記第２のダイプレクサから前記第３のフィルタ処理された信号及び前記第４のフィルタ処理された信号を前記コントローラへ供給して、第２の異なるタイプのデータを導出する、前記作動させるステップと
を有する方法。
（付記８）
前記第１のモードにおける前記生成するステップは、
前記第１のフィルタ処理された信号を生成するようバンドパスフィルタを使用することと、
前記第２のフィルタ処理された信号を生成するようバンドストップフィルタを使用することと
を含み、
前記バンドパスフィルタのパスバンドは、前記バンドストップフィルタによって拒絶される周波数バンドと等しい、
付記７に記載の方法。
（付記９）
前記第２のモードにおける前記生成するステップは、
前記第３のフィルタ処理された信号を生成するようローパスフィルタを使用することと、
前記第４のフィルタ処理された信号を生成するようハイパスフィルタを使用することと
を含み、
前記ローパスフィルタのカットオフ周波数は、前記ハイパスフィルタのカットオフ周波数よりも小さい、
付記７に記載の方法。
（付記１０）
前記入力信号は、レガシー衛星信号及び単線マルチスイッチ（ＳＷＭ）モード信号のうちの１つを含む、
付記７に記載の方法。
（付記１１）
前記レガシー衛星信号は、ＩＳＤＢＴデータを有する第１のサブバンドと、衛星データを有する第２のサブバンドとを含み、
前記第２のサブバンドは、前記第１のサブバンドよりも高い周波数範囲を有する、
付記１０に記載の方法。
（付記１２）
前記ＳＷＭモード信号は、ＩＳＤＢＴデータを有する第１のサブバンドと、ＭｏＣＡデータを有する第２のサブバンドと、衛星データを有する第３のサブバンドとを含み、
前記第２のサブバンドは、前記第１のサブバンドの周波数範囲と前記第３のサブバンドの周波数範囲との間の周波数範囲を有する、
付記１０に記載の方法。
（付記１３）
衛星信号を処理する装置であって、
少なくとも２つの周波数サブバンドを含む所定の周波数範囲を有する入力信号を受信する受信手段と、
前記受信手段の第１の出力部へ接続される第１のフィルタリング手段であって、第１の周波数サブバンド及び第２の周波数サブバンドを含む第１のフィルタ処理された信号と、第３の周波数サブバンドを含む第２のフィルタ処理された信号とを生成する前記第１のフィルタリング手段と、
前記受信手段の第２の出力部へ接続される第２のフィルタリング手段であって、前記第１の周波数サブバンドを含む第３のフィルタ処理された信号と、前記第２の周波数サブバンドを含む第４のフィルタ処理された信号とを生成する前記第２のフィルタリング手段と、
第１のモードと第２のモードとの間で動作するよう前記受信手段を作動させる作動手段であって、
前記第１のモードにおいて、前記受信手段は、前記第１のフィルタ処理された信号及び前記第２のフィルタ処理された信号を生成するよう、前記入力信号を前記第１のフィルタリング手段へ供給し、該第１のフィルタリング手段は、前記第１のフィルタ処理された信号から前記第３のフィルタ処理された信号及び前記第４のフィルタ処理された信号を生成するよう、前記第１のフィルタ処理された信号を前記第２のフィルタリング手段へ供給し、
前記第２のモードにおいて、前記受信手段は、前記入力信号から前記第３のフィルタ処理された信号及び前記第４のフィルタ処理された信号を生成するよう、前記入力信号を前記第２のフィルタリング手段へ供給する、前記作動手段と、
フィルタ処理された信号を処理する処理手段であって、
前記第１のモードにおいて、前記第２のフィルタ処理された信号を受信してそれから第１のタイプのデータを導出し、前記第３のフィルタ処理された信号及び前記第４のフィルタ処理された信号を受信してそれらから第２の異なるタイプのデータを導出し、
前記第２のモードにおいて、前記入力信号に基づき生成された前記第３のフィルタ処理された信号及び前記第４のフィルタ処理された信号を受信してそれらから前記第２の異なるタイプのデータを導出する、前記処理手段と
を有する装置。
（付記１４）
前記第１のフィルタリング手段は、バンドストップフィルタ及びバンドパスフィルタを含む第１のダイプレクサを有し、
前記バンドパスフィルタのパスバンドは、前記バンドストップフィルタによって拒絶されるバンドと等しい、
付記１３に記載の装置。
（付記１５）
前記第２のフィルタリング手段は、ハイパスフィルタ及びローパスフィルタを含む第２のダイプレクサを有し、
前記ローパスフィルタのカットオフ周波数は、前記ハイパスフィルタのカットオフ周波数よりも小さい、
付記１４に記載の装置。
（付記１６）
前記入力信号は、レガシー衛星信号及び単線マルチスイッチ（ＳＷＭ）モード信号のうちの１つを含む、
付記１３に記載の装置。
（付記１７）
前記レガシー衛星信号は、ＩＳＤＢＴデータを有する第１のサブバンドと、衛星データを有する第２のサブバンドとを含み、
前記第２のサブバンドは、前記第１のサブバンドよりも高い周波数範囲を有する、
付記１６に記載の装置。
（付記１８）
前記ＳＷＭモード信号は、ＩＳＤＢＴデータを有する第１のサブバンドと、ＭｏＣＡデータを有する第２のサブバンドと、衛星データを有する第３のサブバンドとを含み、
前記第２のサブバンドは、前記第１のサブバンドの周波数範囲と前記第３のサブバンドの周波数範囲との間の周波数範囲を有する、０
付記１６に記載の装置。
【国際調査報告】
2017510101.tif 000015
2017510101.tif 000016